(57)【要約】【課題】床暖房の運転費用を削減する。【解決手段】熱源と温水タンクと循環ポンプを内蔵した熱源機と、前記循環ポンプにて温水を複数系統の温水パネルに循環し、前記温水パネルに対応する各部屋にリモコンを設け、温度設定手段にて設定された設定温度と前記温水パネルまたは温水経路の温度差に応じて、前記複数系統の温水パネルに流れる温水を夫々制御する温水制御弁とを備えた温水暖房装置に於いて、前記リモコン３６に人体検知センサ３９を設け、前記温度設定手段３７にて設定された、それぞれの温度に応じて各温水制御弁２５の開閉時間を調整して、前記温水パネルの温度を制御し、前記人体検知センサが室内に人の不在を検知してから所定時間不在が継続した場合には、前記温水制御弁を閉じ、前記人体検知センサの値が人の存在を検知した場合には、前記温水制御弁２５を元の開閉時間で運転をする温水回路制御部２１を備えたものである。【選択図】図１
2013234777.tif 000002
【特許請求の範囲】
【請求項１】
熱源と温水タンクと循環ポンプを内蔵した熱源機と、前記循環ポンプにて温水を複数系統の温水パネルに循環し、前記温水パネルに対応する各部屋にリモコンを設け、温度設定手段にて設定された設定温度と温水パネルまたは温水経路の温度差に応じて、前記複数系統の温水パネルに流れる温水を夫々制御する温水制御弁とを備えた温水暖房装置に於いて、前記リモコンに人体検知センサを設け、前記温度設定手段にて設定された、それぞれの温度に応じて各温水制御弁の開閉時間を調整して、前記温水パネルの温度を制御し、前記人体検知センサが室内に人の不在を検知してから所定時間不在が継続した場合には、前記温水制御弁を閉じ、前記人体検知センサの値が人の存在を検知した場合には、前記温水制御弁を元の開閉時間で運転をする温水回路制御部を備えたことを特徴とする温水床暖房装置。
【請求項２】
温水回路制御部は、全ての人体検知センサが室内に人の不在を検知した場合には、最後に不在を検知した部屋の温水制御弁のみを低い設定温度でＯＮ−ＯＦＦする請求項１記載の温水床暖房装置。
【発明の詳細な説明】
【技術分野】
【０００１】
この発明は、温水を複数系列の温水パネルに循環して温水暖房を行う温水床暖房装置に関するものである。
【背景技術】
【０００２】
従来一つの熱源に対して多数の部屋に温水を循環させる温水床暖房装置では、床暖房を行う、それぞれの部屋に設けられたリモコンにて暖房運転要求と設定温度の信号が発信されると熱源が作動して暖房用循環水を加熱し、温水タンクから循環ポンプの作動にて各部屋に設置された温水パネルに温水が供給され温水パネルの放熱で暖房が行われる。前記循環ポンプと温水パネルの間には熱動弁が設けられ、この熱動弁の開閉時間の調節により、温水パネルへ供給される温水量を変化して各部屋の温度が調節されるものであります。
【０００３】
前記リモコンでは押圧により熱源の運転と熱動弁が開く運転・停止ボタン、低温から高温まで３〜９段階の温度が選択できる温度設定ボタン等が設けられている。そして、各部屋のリモコンの中で１番高い温度設定に合わせて熱源で加熱される温水の温度が決定されると共に、この部屋に対応する熱動弁が全開される。低い温度設定の部屋に対応する熱動弁は設定温度に応じて開時間と閉時間を調整して部屋の温度が抑えられるものである。（例えば、特許文献１参照）
【先行技術文献】
【特許文献】
【０００４】
【特許文献１】特許３４７４９１２号公報
【発明の概要】
【発明が解決しようとする課題】
【０００５】
この従来例の温水床暖房装置では、部屋の温度変化を感じにくいために、それぞれの部屋の条件によって、それぞれの設定温度で各部屋を継続して暖房運転することが一般的であり暖房の費用も大きくなるものだった。
【課題を解決するための手段】
【０００６】
この発明はこの点に着目し上記欠点を解決する為、特にその構成を、熱源と温水タンクと循環ポンプを内蔵した熱源機と、前記循環ポンプにて温水を複数系統の温水パネルに循環し、前記温水パネルに対応する各部屋にリモコンを設け、温度設定手段にて設定された設定温度と温水パネルまたは温水経路の温度差に応じて、前記複数系統の温水パネルに流れる温水を夫々制御する温水制御弁とを備えた温水暖房装置に於いて、前記リモコンに人体検知センサを設け、前記温度設定手段にて設定された、それぞれの温度に応じて各温水制御弁の開閉時間を調整して、前記温水パネルの温度を制御し、前記人体検知センサが室内に人の不在を検知してから所定時間不在が継続した場合には、前記温水制御弁を閉じ、前記人体検知センサの値が人の存在を検知した場合には、前記温水制御弁を元の開閉時間で運転をする温水回路制御部を備えたものである。
【発明の効果】
【０００７】
この発明によれば、各部屋の所定時間不在を継続する部屋の温水制御弁を閉じることで、不在の部屋を無駄に暖房することがなくなり、電力の節減をすることができる。また、人の存在を検知した時には暖房運転に自動で復帰するので煩わしい操作をする必要がないものである。また、全ての部屋が不在になっても、最後の部屋の温水制御弁は低い設定温度でＯＮ−ＯＦＦすることで、熱源機は停止しないので、人の存在を検知した場合には比較的早く通常の暖房運転に復帰することができるものである。
【図面の簡単な説明】
【０００８】
【図１】この発明一実施例の概略説明図。。
【図２】同フローチャート図。
【発明を実施するための形態】
【０００９】
次に、この発明に係る温水床暖房装置を図面に示された一実施例で説明する。
１は温水床暖房装置の熱源機で、水平仕切板２にて上下２室に分けられ、下部には冷凍回路室３を、上部には温水回路室４を備え、温水連絡配管５によって、室内に設置された床暖房の温水パネル６と接続されている。
前記冷凍回路室３の背面と左側面には空気吸込口７が、前面には吹出口８を備え、内部には圧縮機９、蒸発器１０、膨張弁１１、送風ファン１２と冷凍回路制御部１３等を設けている。
【００１０】
前記温水回路室４は上面に給水用蓋１４が、背面に配管取出口１５を備え、内部には冷媒接続バルブ１６、冷媒水熱交換器１７、温水タンク１８、循環ポンプ１９、往き温水ヘッダ２０と温水回路制御部２１等を設け、前記冷媒水熱交換器１７、温水タンク１８、循環ポンプ１９、往き温水ヘッダ２０を往き管２２にて順次接続している。
【００１１】
２３は前記温水パネル６で放熱した後、温度低下した温水が流れる戻り温水ヘッダで、戻り管２４にて前記冷媒水熱交換器１７に接続している。
前記往き温水ヘッダ２０は、温水を４方向まで分岐できるものであり、分岐後の出口にはそれぞれ熱動弁等の温水制御弁２５が取り付けられ、前記温水回路制御部２１内に備えた温水制御弁制御手段２１ａによって、熱動弁の閉弁の時間を調節することで各部屋に設置された温水パネル６の温度を調節する。
【００１２】
前記戻り温水ヘッダ２３は、各部屋の温水パネル６から戻る温水の温度をサーミスタセンサ等によって検知する戻りセンサ２６を設けている。
２７は前記往き温水ヘッダ２０と温水連絡配管５と温水パネル６と戻り温水ヘッダ２３を連通し、温水を循環することで床暖房を行う温水回路で、温水ヘッダ２０・２３の接続口の数によって最大４つの温水回路２７を設定することができる。
【００１３】
前記熱動弁２５は同じ温水回路２７の戻りセンサ２６の温度が設定温度に達するまでは開弁し、設定温度到達後の閉弁時間を調整することで暖房温度を調節するもので、それぞれの温水回路２７に対応するリモコン３６設定に従って各部屋の暖房を行うものである。
前記圧縮機９は温水回路制御部２１に備えたインバータ駆動回路（図示せず）にて約１５〜１０５Ｈｚの間で多段階に回転数を変化することで往き温水の温度を調整する。前記蒸発器１０は縦長で多数のアルミニューム薄板に銅管を貫通させたフィンチューブ式の熱交換器で風上側と風下側に密接して、それぞれ１列ずつ設けられている。銅管は上下に２４段設けられ、内部に前記膨張弁１１で減圧された液冷媒が流入し、空気中の熱を奪い蒸発器１０の出口では気体となり圧縮機９に戻っていく。
【００１４】
２８は前記水−冷媒熱交換器１７と膨張弁１１との間に設けられた放熱器で、前記蒸発器１０の風下側で下端より上下に２本の銅管にて構成し、前記水−冷媒熱交換器１７と膨張弁１１を接続するものであり、蒸発器１０の風下側のアルミニューム薄板を共用して、蒸発器１０と一体に形成されることで、内部熱交換器を使用せずに吐出圧力の上昇を抑えことができるので、製造コストを低く抑えることになる。また、除霜運転での溶け残りを防止することができ、除霜の効率を向上させることができる。また、吐出圧力の上昇を抑えるので圧縮機９の消費電力増加を抑えることができ、高ＣＯＰを実現できる。
【００１５】
前記膨張弁１１は電子式の膨張弁で圧縮機９の回転数や冷凍回路の各部温度等によって冷凍回路制御部１３にて開度が制御されるものである。
前記送風ファン１２は樹脂製のプロペラファンで、回転数可変の送風モータ２９によって回転し、前記空気吸込口７、蒸発器１０、送風ファン１２、吹出口８で室外送風経路３０を形成し、蒸発器１０にて外気から熱を奪うものである。
【００１６】
３１は前記空気吸込口７の内側に設けられた気温センサで、サーミスタセンサー等により吸込空気の温度を検知するものである。３２は前記蒸発器１０に取り付けられた除霜センサで、蒸発器１０に発生した霜を検知するものである。３３は前記圧縮機９の吐出側冷媒配管の表面に取り付けられた吐出温センサで、圧縮機９の能力制御に等のために吐出冷媒の温度を検知するものである。３４は前記冷媒水熱交換器１７に設けた熱交センサで水−冷媒熱交換器の温度によって冷凍回路と温水回路の温度を調節するものである。３５は前記往き管２２の温度を検知する往きセンサで、この温度によって各温水パネル６の最高温度が決まるものである。
【００１７】
３６は温水パネル６の設置された各室内で必要な温度をそれぞれに設定する温度設定手段としてのリモコンで、低温側から高温側まで９段階の温度を選択する温度設定スイッチ３７と、それぞれの部屋の暖房を運転・停止する運転スイッチ３８を設けている。
また、前記リモコン３６の各設定温度を基に温水の往き温度の最高温度を設定することで、温水パネル６の過熱を防止するものである。
３９は前記リモコン３６の前面に備えた人体検知センサで、赤外線センサー等から成り、室内に人の不在を検知してから所定時間（この実施例では約１５分間）不在が継続した場合には、前記温水制御弁２５を閉じ、前記人体検知センサ３９の値が人の存在を検知した場合には、前記温水制御弁２５を元の開閉時間で運転をするように、前記温水回路制御部２１にて制御することで、不在の部屋を無駄に暖房することがなくなり、電力の節減をすることができる。また、人の存在を検知した時には暖房運転に自動で復帰するので煩わしい操作をする必要がないものである。
【００１８】
図２のフローチャートについて説明すれば、ステップ１にて、通常の暖房運転中は各部屋に備えられた各リモコン３５の温度設定スイッチ３７の設定値に応じて、温水制御弁２５のＯＮ−ＯＦＦ時間を調整して暖房運転が行われる。そしてステップ２にて定期的に人体検知センサ３９の読込を行い、ステップ３で室内に人が不在かを判断し、不在であればステップ４に進み、人の存在が有れば通常の暖房運転を続ける。
【００１９】
次に、ステップ４ではタイマーをスタートし、ステップ５にて１５分間不在が継続すれば、ステップ６に進み、他の部屋で不在による温水制御弁閉運転中かを判断し、他の部屋が１室でも在室していて、通常暖房中であれば、ステップ７に進み不在が検出中の部屋の温水制御弁２５を閉じて、自動的に省エネ運転となる。そして、ステップ８にて室内に人の存在を確認できるまでこの状態を続ける。そして、ステップ８にて人の存在が検知されたら、ステップ９に進み温水制御弁２５を元のＯＮ−ＯＦＦ時間に戻して暖房運転に復帰する。
【００２０】
また、ステップ６にて他の部屋が全て不在で省エネ運転中であった場合には、この部屋のみ低温度設定で暖房運転を続けることで、熱源機１の運転状態を継続して、室内に人が戻って来たときに早く暖房運転に復帰できるようにするものである。
【００２１】
このように、各部屋の所定時間不在を継続する部屋の温水制御弁を閉じることで、不在の部屋を無駄に暖房することがなくなり、電力の節減をすることができる。また、人の存在を検知した時には暖房運転に自動で復帰するので煩わしい操作をする必要がないものである。また、全ての部屋が不在になっても、最後の部屋の温水制御弁は低い設定温度でＯＮ−ＯＦＦすることで、熱源機は停止しないので、人の存在を検知した場合には比較的早く通常の暖房運転に復帰することができるものである。
【符号の説明】
【００２２】
１    熱源機
６    温水パネル
１８    温水タンク
１９    循環ポンプ
２０    往き温水ヘッダ
２１    温水回路制御部
２２    往き管
２３    戻り温水ヘッダ
２４    戻り管
２５    温水制御弁（熱動弁）
３６    リモコン
３９    人体検知センサ
【図１】
2013234777.tif 000003
【図２】
2013234777.tif 000004